(57)【要約】【課題】伝送路に故障が発生してもデータ伝送を可能にすること。【解決手段】各パケットデータに付帯情報を付帯し、例えば光モジュール１０−４に故障Ｑが発生してデータ伝送が不能になると、第１のフレキシブル・ロータ１１によって縮退モードに設定され、残りのデータ伝送可能な３本の各光モジュール１０−１〜１０−３をフレキシブルに選択して各パケットデータを伝送し、かつ第２のフレキシブル・ロータ１２によって３本の光モジュール１０−１〜１０−３を通して受信される各パケットデータの付帯情報に基づいて各パケットデータを元の並び順に並び替える。【選択図】図２
2010011979.tif 000002
【特許請求の範囲】
【請求項１】
Ｘ線ＣＴ装置を含む医用画像機器中で複数チャンネルの各伝送路を通してデータを伝送するデータ伝送方式において、
前記データをパケット化し、これらパケットデータにそれぞれ前記データ中の少なくとも配列位置を示す付帯情報を付帯し、
前記各伝送路のうち少なくとも１つの伝送路で前記データ伝送が不能になると、残りの前記データ伝送可能な前記各伝送路をフレキシブルに選択して前記各パケットデータを伝送し、
前記各伝送路を通して伝送された前記各パケットデータを前記付帯情報に基づいて並び替える、
ことを特徴とするデータ伝送方式。
【請求項２】
前記Ｘ線ＣＴ装置のデータ収集ユニットとコンソールとの間の前記複数チャンネルの前記各伝送路を通しての前記データ伝送であって、
前記Ｘ線ＣＴ装置により取得される投影データをパケット化し、これらパケットデータにそれぞれ前記投影データ中の少なくとも配列位置を示す付帯情報を付帯し、前記各伝送路のうち少なくとも１つの伝送路での前記データ伝送が不能になると、残りの前記データ伝送可能な前記各伝送路をフレキシブルに選択して前記各パケットデータを伝送する縮退モードに切り替わり、
前記各伝送路を通して受信した前記各パケットデータを前記付帯情報に基づいて並び替える、
ことを特徴とする請求項１記載のデータ伝送方式。
【請求項３】
前記縮退モードに切り替わると、前記Ｘ線ＣＴ装置に備えられたＸ線検出器の両端部から出力される前記各投影データを破棄し、当該両端部を除く前記Ｘ線検出器の中央部から出力される前記各投影データを前記パケット化して前記データ伝送することを特徴とする請求項２記載のデータ伝送方式。
【請求項４】
前記縮退モードに切り替わると、前記Ｘ線ＣＴ装置により取得される投影データをメモリに一時記憶し、当該メモリから前記投影データを読み出して前記パケット化して前記データ伝送することを特徴とする請求項２記載のデータ伝送方式。
【請求項５】
Ｘ線ＣＴ装置を含む医用画像機器内で複数チャンネルの各伝送路を通してデータを伝送するデータ伝送装置において、
前記データをパケット化し、これらパケットデータにそれぞれ前記データ中の少なくとも配列位置を示す付帯情報を付帯し、前記各伝送路のうち少なくとも１つの伝送路で前記データ伝送が不能になると、残りの前記データ伝送可能な前記各伝送路をフレキシブルに選択して前記各パケットデータを伝送する第１のデータ伝送部と、
前記各伝送路を通して伝送された前記各パケットデータを前記付帯情報に基づいて並び替える第２のデータ伝送部と、
を具備することを特徴とするデータ伝送装置。
【請求項６】
前記医用画像機器は、少なくとも前記Ｘ線ＣＴ装置のデータ収集ユニットと、前記Ｘ線ＣＴ装置に対して操作指示等を与えるためのコンソールとを有し、
前記第１のデータ伝送部と前記第２のデータ伝送部とは、少なくとも一対で前記第１のデータ伝送部及び前記第２のデータ伝送部を含む前記データ収集ユニットと前記コンソールとの間の伝送区間に設けられる、
ことを特徴とする請求項５記載のデータ伝送装置。
【請求項７】
前記第１のデータ伝送部は、前記縮退モードに切り替わると、前記Ｘ線ＣＴ装置に備えられたＸ線検出器の両端部から出力される前記各投影データを破棄し、当該両端部を除く前記Ｘ線検出器の中央部から出力される前記各投影データを前記パケット化して前記データ伝送することを特徴とする請求項５記載のデータ伝送装置。
【請求項８】
前記第１のデータ伝送部は、メモリを備え、前記縮退モードに切り替わると、前記Ｘ線ＣＴ装置により取得される投影データを前記メモリに一時記憶し、当該メモリから前記投影データを読み出して前記パケット化して前記データ伝送することを特徴とする請求項５記載のデータ伝送装置。
【請求項９】
前記第１のデータ伝送部は、前記付帯情報として前記各パケットデータの各ヘッドにそれぞれ少なくともフレームデータ、スライスナンバーを有することを特徴とする請求項５記載のデータ伝送装置。
【請求項１０】
前記各伝送路は、光伝送又は有線を用いた伝送であることを特徴とする請求項５記載のデータ伝送装置。
【発明の詳細な説明】
【技術分野】
【０００１】
本発明は、例えばＸ線ＣＴ装置等の医用画像機器中の伝送路に発生する故障時にデータ伝送可能なデータ伝送方式及びその装置に関する。
【背景技術】
【０００２】
例えばＸ線ＣＴ装置は、Ｘ線源とＸ線検出器とを対向配置し、これらＸ線源とＸ線検出器とを回転させながらＸ線源からＸ線を発生させ、被検体を透過したＸ線をＸ線検出器により検出する。このＸ線検出器から出力される投影データは、データ収集システム（以下、ＤＡＳと称する）により収集され、コンソールユニットに送られる。このコンソールユニットでは、ＤＡＳにより収集された投影データを再構成して被検体の断層像データを取得する。
【０００３】
図９はＸ線ＣＴ装置におけるデータ伝送の系統図を示す。回転部１は、Ｘ線源とＸ線検出器とを対向配置して状態で回転させるもので、ＤＡＳ２と第１の伝送ユニット３とを備える。これらＤＡＳ２と第１の伝送ユニット３との間は、例えば光ファイバー等の光モジュールから成る４本の伝送路を用いた４チャンネル（ＣＨ）の光通信によりデータ伝送を行う。一方、固定部４は、投影データを再構成して被検体のスライス画像データを取得するもので、第２の伝送ユニット５とコンソール６とを備える。これら第２の伝送ユニット５とコンソール６との間は、例えば光ファイバー等の光モジュールから成る４本の伝送路を用いた４チャンネル（ＣＨ）の光通信によりデータ伝送を行う。又、第１の伝送ユニット３と第２の伝送ユニット５との間は、例えば光ファイバー等の光モジュールから成る２本の伝送路を用いた２チャンネル（ＣＨ）の光通信によりデータ伝送を行う。
【０００４】
そして、ＤＡＳ２と第１の伝送ユニット３との間は、予め決められたフォーマットに従って投影データをデータ伝送している。例えばＸ線源とＸ線検出器とが１回転（３６０°回転）すると、被検体の断層像のビュー（Ｖiew）画像を例えば１０００枚取得し、このうちの１枚のビュー画像分の投影データを４チャンネルに分けてＤＡＳ２から第１の伝送ユニット３にデータ伝送している。そして、１枚のビュー画像を４つに分けた各投影データを伝送する各チャンネルが予め決められている。すなわち、ＤＡＳ２により収集されたＸ線検出器の各チャンネルに対応する各投影データは、それぞれ伝送するチャンネルの伝送路が予め決められている。
【０００５】
図１０はＤＡＳ２内の出力系の構成例を示す。この出力系には、フィールド・プログラマブル・ゲート・アレイ（ＦＰＧＡ）７が備えられている。このフィールド・プログラマブル・ゲート・アレイ（ＦＰＧＡ）７は、例えば４チャンネルを構成すれば、１ＣＨから４ＣＨの各チャンネル毎に各出力バッファ８−１〜８−４と各ＳＦＦ回路９−１〜９−４とがそれぞれ直列に接続されている。そして、各チャンネル（１ＣＨ〜４ＣＨ）毎の各ＳＦＦ回路９−１〜９−４は、それぞれ４本の光ファイバー等の各光モジュール１０−１〜１０−４を介して第１の伝送ユニット３に接続されている。
【０００６】
しかるに、Ｘ線検出器のチャンネル数が例えば３２０チャンネルあれば、これら３２０チャンネルを４分割した８０チャンネルを各チャンネル（１ＣＨ〜４ＣＨ）毎の伝送路に予め割り振られている。これにより、Ｘ線検出器の各チャンネルの投影データは、割り振られたチャンネルの伝送路、例えば１ＣＨであれば、出力バッファ８−１からＳＦＦ回路９−１を通って１本の光ファイバー等の光モジュール１０−１を介して第１の伝送ユニット３にデータ伝送される。
【０００７】
このため、ＤＡＳ２とコンソール６との間の伝送区間、例えばＤＡＳ２と第１の伝送ユニット３との間の伝送路において故障Ｑが発生してデータ伝送が不可能になると、Ｘ線検出器の各チャンネル数のデータ伝送の伝送路が予め決定されているために、ＤＡＳ２とコンソール６との間でデータ伝送が全く出来なくなる。
【０００８】
かかる伝送路の故障等の対策に関する技術としては、例えば特許文献１乃至４がある。特許文献１は、例えばスリップリング部分の非接触による伝送路の物理的欠損時の縮退運転について開示する。特許文献２は、ＤＡＳユニット（検出器側）のチャンネル故障時の分解能の改善について開示する。特許文献３は、ノイズの影響による画質について開示する。特許文献４は、システムダウン時の復旧時間の短縮について開示する。
【特許文献１】特開２００５−２５３６２７号公報
【特許文献２】特開２００１−２６６１１７号公報
【特許文献３】特開２００３−２３５８３６号公報
【発明の開示】
【発明が解決しようとする課題】
【０００９】
本発明の目的は、伝送路に故障が発生してもデータ伝送が可能なデータ伝送方式及びその装置を提供することにある。
【課題を解決するための手段】
【００１０】
本発明の請求項１に記載のデータ伝送方式は、Ｘ線ＣＴ装置を含む医用画像機器中で複数チャンネルの各伝送路を通してデータを伝送するデータ伝送方式であって、データをパケット化し、これらパケットデータにそれぞれデータ中の少なくとも配列位置を示す付帯情報を付帯し、各伝送路のうち少なくとも１つの伝送路でデータ伝送が不能になると、残りのデータ伝送可能な各伝送路をフレキシブルに選択して各パケットデータを伝送し、各伝送路を通して伝送された各パケットデータを付帯情報に基づいて並び替える。
【００１１】
本発明の請求項５に記載のデータ伝送装置は、Ｘ線ＣＴ装置を含む医用画像機器内で複数チャンネルの各伝送路を通してデータを伝送するデータ伝送装置であって、データをパケット化し、これらパケットデータにそれぞれデータ中の少なくとも配列位置を示す付帯情報を付帯し、各伝送路のうち少なくとも１つの伝送路でデータ伝送が不能になると、残りのデータ伝送可能な各伝送路をフレキシブルに選択して各パケットデータを伝送する第１のデータ伝送部と、各伝送路を通して伝送された各パケットデータを付帯情報に基づいて並び替える第２のデータ伝送部とを具備する。
【発明の効果】
【００１２】
本発明によれば、伝送路に故障が発生してもデータ伝送が可能なデータ伝送方式及びその装置を提供できる。
【発明を実施するための最良の形態】
【００１３】
以下、本発明の第１の実施の形態について図面を参照して説明する。なお、図９と同一部分には同一符号を付してその詳しい説明は省略する。  
図１はＸ線ＣＴ装置に適用されたデータ伝送装置の構成図を示す。ＤＡＳ２には、第１のデータ伝送部１１が設けられると共に、第１の伝送ユニット３には、第２のデータ伝送部１２が設けられている。
【００１４】
このうち第１のデータ伝送部１１は、ＤＡＳ２により収集された投影データをパケット化し、これらパケットデータにそれぞれ投影データ中の少なくとも配列位置を示す付帯情報を付帯し、例えば光ファイバー等の光モジュールから成る４本の伝送路のうち少なくとも１つの伝送路でデータ伝送が不能になると、残りのデータ伝送可能な各伝送路をフレキシブルに選択して各パケットデータを伝送する。この第１のデータ伝送部１１は、パケットデータの付帯情報として、各パケットデータの各ヘッドにそれぞれフレームデータ（Ｖiew ナンバー）、スライスナンバー（ＲＯＷナンバー）、エクストラデータを付帯させる。フレームデータは、被検体の断層像のビュー（Ｖiew）画像のナンバーを示す。スライスナンバーは、被検体の断層像のナンバーを示す。エクストラデータは、例えばＤＡＳ２中のバスユニットの温度や環境等の条件を示す。
【００１５】
第２のデータ伝送部１２は、例えば光ファイバー等の光モジュールから成る４本の伝送路のうち第１のデータ伝送部１１によりフレキシブルに選択された各伝送路を通して各パケットデータを受信し、これらパケットデータを付帯情報であるフレームデータ（Ｖiew ナンバー）、スライスナンバー（ＲＯＷナンバー）、エクストラデータに基づいて元の並び順に並び替える。
【００１６】
図２はＤＡＳ２及び第１の伝送ユニット３の具体的な構成図を示す。ＤＡＳ２は、第１のデータ伝送部１１として第１のフレキシブル・ロータ（Ｆlexible Ｒouter）が設けられている。この第１のフレキシブル・ロータ１１は、図３に示すようにＤＡＳ２により収集された投影データをパケット化し、これらパケットデータＰ１、Ｐ２、…、Ｐｎの各ヘッダＨにそれぞれ投影データ中の配列位置を示す付帯情報としてフレームデータ（Ｖiew ナンバー）、スライスナンバー（ＲＯＷナンバー）、エクストラデータを付帯させる。
【００１７】
第１のフレキシブル・ロータ１１は、通常モードにおいて、フレームデータ、スライスナンバー、エクストラデータ等の付帯情報を付帯させた各パケットデータＰ１、Ｐ２、…、Ｐｎを各ＳＦＦ回路９−１〜９−４から４本の光ファイバー等の各光モジュール１０−１〜１０−４を通して第１の伝送ユニット３に伝送する。なお、各パケットデータＰ１、Ｐ２、…、Ｐｎ（ｎ＝自然数）は、それぞれヘッダＨと実データＤとから成る。
【００１８】
なお、第１のフレキシブル・ロータ１１は、通常モードにおいて、Ｘ線検出器のチャンネル数が例えば３２０チャンネルあれば、これら３２０チャンネルを４分割した８０チャンネルを各チャンネル（１ＣＨ〜４ＣＨ）毎の各光モジュール１０−１〜１０−４に予め割り振ってデータ伝送するようにしてもよい。これにより、Ｘ線検出器の各チャンネルの投影データは、割り振られたチャンネルの伝送路、例えば１ＣＨであれば、ＳＦＦ回路９−１から１本の光ファイバー等の光モジュール１０−１を介して第１の伝送ユニット３にデータ伝送される。
【００１９】
又、第１のフレキシブル・ロータ１１は、４本の光ファイバー等の各光モジュール１０−１〜１０−４のうち少なくとも１つの光モジュール、例えば光モジュール１０−４に故障Ｑが発生してデータ伝送が不能になると、通常モードから縮退モードに切り替わり、残りのデータ伝送可能な３本の各光モジュール１０−１〜１０−３をフレキシブルに選択して各パケットデータを伝送する。例えば第１のフレキシブル・ロータ１１は、残りのデータ伝送可能な３本の光モジュール１０−１〜１０−３のデータ伝送の使用率等を求め、これら３本の光モジュール１０−１〜１０−３のデータ伝送の使用率が均一になるように３本の各光モジュール１０−１〜１０−３を選択して各パケットデータを伝送する。
【００２０】
又、第１の伝送ユニット３には、各チャンネル（１ＣＨ〜４ＣＨ）毎の各ＳＦＦ回路１３−１〜１３−４が設けられている。これらＳＦＦ回路１３−１〜１３−４には、それぞれ各光モジュール１０−１〜１０−４が接続されている。  
第１の伝送ユニット３には、第２のデータ伝送部１２として第２のフレキシブル・ロータと、データメモリ１４とが設けられている。このうち第２のフレキシブル・ロータ１２は、例えば第１のフレキシブル・ロータ１１が縮退モードに切り替わると、例えば３本の光モジュール１０−１〜１０−３を通して受信された各パケットデータの付帯情報であるフレームデータ、スライスナンバー、エクストラデータを認識し、これらフレームデータ、スライスナンバー、エクストラデータに基づいて元の並び順に並び替える。第２のフレキシブル・ロータ１２により並び替えられた各パケットデータは、データメモリ１４に記憶される。
【００２１】
次に、上記の如く構成された装置によるデータ伝送について説明する。  
例えばＸ線ＣＴ装置は、Ｘ線源とＸ線検出器とを回転させながらＸ線源からＸ線を発生させ、被検体を透過したＸ線をＸ線検出器により検出する。このＸ線検出器から出力される投影データは、ＤＡＳ２により収集される。すなわち、Ｘ線源とＸ線検出器とが１回転（３６０°回転）すると、被検体の断層像のビュー（Ｖiew）画像を例えば１０００枚取得し、このうちの１枚のビュー画像分の投影データを４チャンネル（１ＣＨ〜４ＣＨ）に分けてＤＡＳ２から第１の伝送ユニット３にデータ伝送される。
【００２２】
このとき、第１のフレキシブル・ロータ１１は、通常モードに設定され、上記図３に示すようにＤＡＳ２により収集された投影データをパケット化し、これらパケットデータＰ１、Ｐ２、…、Ｐｎの各ヘッダＨにそれぞれ付帯情報としてフレームデータと、スライスナンバーと、エクストラデータとを付帯させ、これら付帯情報を付帯させた各パケットデータを各ＳＦＦ回路９−１〜９−４から４本の光ファイバー等の各光モジュール１０−１〜１０−４を通して第１の伝送ユニット３に伝送する。なお、第１のフレキシブル・ロータ１１は、通常モードにおいて、Ｘ線検出器のチャンネル数が例えば３２０チャンネルあれば、これら３２０チャンネルを４分割した８０チャンネルを各チャンネル（１ＣＨ〜４ＣＨ）毎の各光モジュール１０−１〜１０−４に予め割り振ってデータ伝送する。例えば、パケットデータＰ１は、光モジュール１０−１を通して第１の伝送ユニット３に伝送され、パケットデータＰ２は、光モジュール１０−２を通して第１の伝送ユニット３に伝送され、パケットデータＰ３は、光モジュール１０−３を通して第１の伝送ユニット３に伝送される。以下、同様に、パケットデータＰ４は、光モジュール１０−４を通して第１の伝送ユニット３に伝送され、パケットデータＰ５は、光モジュール１０−１を通して第１の伝送ユニット３に伝送され、パケットデータＰ６は、光モジュール１０−２を通して第１の伝送ユニット３に伝送され、パケットデータＰｎは、例えば光モジュール１０−４を通して第１の伝送ユニット３に伝送される。
【００２３】
ここで、４本の光ファイバー等の各光モジュール１０−１〜１０−４のうち少なくとも１つの光モジュール、例えば光モジュール１０−４に故障Ｑが発生すると、第１のフレキシブル・ロータ１１は、通常モードから縮退モードに切り替わる。光モジュール１０−４上の故障Ｑは、例えばＤＡＳ２と第１の伝送ユニット３との間のデータの受諾応答等により検出される。
【００２４】
しかるに、例えば光モジュール１０−４に故障Ｑが発生して当該光モジュール１０−４を通してデータ伝送が不能になると、第１のフレキシブル・ロータ１１は、縮退モードにおいて、残りのデータ伝送可能な３本の各光モジュール１０−１〜１０−３をフレキシブルに選択して各パケットデータを伝送する。例えば第１のフレキシブル・ロータ１１は、残りのデータ伝送可能な３本の光モジュール１０−１〜１０−３のデータ伝送の使用率等を求め、これら３本の光モジュール１０−１〜１０−３のデータ伝送の使用率が均一になるように３本の各光モジュール１０−１〜１０−３を選択して各パケットデータを伝送する。
【００２５】
これにより、例えば、パケットデータＰ１は、光モジュール１０−１を通して第１の伝送ユニット３に伝送され、パケットデータＰ２は、光モジュール１０−３を通して第１の伝送ユニット３に伝送され、パケットデータＰ３は、光モジュール１０−２を通して第１の伝送ユニット３に伝送される。以下、同様に、パケットデータＰ４は、光モジュール１０−１を通して第１の伝送ユニット３に伝送され、パケットデータＰ５は、光モジュール１０−２を通して第１の伝送ユニット３に伝送され、パケットデータＰ６は、光モジュール１０−３を通して第１の伝送ユニット３に伝送され、パケットデータＰｎは、例えば光モジュール１０−２を通して第１の伝送ユニット３に伝送される。
【００２６】
一方、第１の伝送ユニット３において第２のフレキシブル・ロータ１２は、例えば第１のフレキシブル・ロータ１１が縮退モードに切り替わると、例えば３本の光モジュール１０−１〜１０−３を通して受信された各パケットデータＰ１〜Ｐｎの付帯情報であるフレームデータ、スライスナンバー、エクストラデータを認識し、これらフレームデータ、スライスナンバー、エクストラデータに基づいて元の並び順に並び替える。  
例えば、第１の伝送ユニット３に設けられているデータメモリ１４は、各パケットデータＰ１〜Ｐｎの各記憶エリアＥ１〜Ｅｍが予め設定されていれば、第２のフレキシブル・ロータ１２は、各パケットデータＰ１〜Ｐｎの付帯情報であるフレームデータ、スライスナンバー、エクストラデータから投影データ全体中の配列位置、すなわちデータメモリ１４に記憶すべき各記憶エリアＥ１〜Ｅｍを認識可能である。
【００２７】
しかるに、ＤＡＳ２から第１の伝送ユニット３に到達するパケットデータの順序が例えばパケットデータＰ１、パケットデータＰ４、パケットデータＰ２、パケットデータＰ３、パケットデータＰ５、パケットデータＰ７、パケットデータＰ６、パケットデータＰ９、…、パケットデータＰｎであっても、第２のフレキシブル・ロータ１２は、図４に示すようにパケットデータＰ１を記憶エリアＥ１に記憶し、パケットデータＰ２を記憶エリアＥ２に記憶し、パケットデータＰ３を記憶エリアＥ３に記憶し、パケットデータＰｎを記憶エリアＥｎに記憶する。この結果、第２のフレキシブル・ロータ１２は、３本の各光モジュール１０−１〜１０−３を通して受信した各パケットデータＰ１、Ｐ４、Ｐ２、…、Ｐｎを元の並び順に並び替えてデータメモリ１４に記憶する。
【００２８】
なお、１本の光モジュール１０−４に故障Ｑが発生した場合について説明したが、例えば２本の光モジュール１０−３、１０−４に故障Ｑが発生した場合でも上記同様に、第１のフレキシブル・ロータ１１は、縮退モードにおいて、残りのデータ伝送可能な２本の各光モジュール１０−１、１０−２をフレキシブルに選択して各パケットデータＰ１、Ｐ２、…、Ｐｎを伝送する。
【００２９】
上記説明では、ＤＡＳ２に第１のデータ伝送部１１を設け、第１の伝送ユニット３に第２のデータ伝送部１２を設けた場合について説明したが、これに限らず、第１のデータ伝送部１１と第２のデータ伝送部１２と、一対でＤＡＳ２とコンソール６との間の伝送区間に設けてもよい。  
例えば、図５に示すように第１の伝送ユニット３に第１のデータ伝送部１１を設け、第２の伝送ユニット５に第２のデータ伝送部１２を設けてもよい。これにより、第１の伝送ユニット３と第２の伝送ユニット５との間の２チャンネルの伝送路のうち１チャンネルの伝送路に故障Ｑが発生してデータ伝送が不能になると、第１のフレキシブル・ロータ１１は、縮退モードにおいて、残りのデータ伝送可能な１本の伝送路を通して各パケットデータを伝送する。なお、第１の伝送ユニット３と第２の伝送ユニット５との間は、２チャンネルであり、１チャンネルの伝送路が故障Ｑすると、残り１チャンネルであるが、これら第１の伝送ユニット３と第２の伝送ユニット５との間が例えば３チャンネル以上であれば、伝送路が故障Ｑの発生時に有効である。
【００３０】
又、図６に示すように第２の伝送ユニット５に第１のデータ伝送部１１を設け、コンソール６に第２のデータ伝送部１２を設けてもよい。これにより、第２の伝送ユニット５とコンソール６との間の４チャンネルの伝送路のうち例えば１チャンネルの伝送路に故障Ｑが発生してデータ伝送が不能になると、第１のフレキシブル・ロータ１１は、縮退モードにおいて、残りのデータ伝送可能な３本の伝送路を通して各パケットデータを伝送する。
【００３１】
このように上記第１の実施の形態によれば、例えば光モジュール１０−４に故障Ｑが発生してデータ伝送が不能になると、第１のフレキシブル・ロータ１１によって縮退モードに設定され、残りのデータ伝送可能な３本の各光モジュール１０−１〜１０−３をフレキシブルに選択して各パケットデータＰ１、Ｐ２、…、Ｐｎを伝送し、かつ第２のフレキシブル・ロータ１２によって３本の光モジュール１０−１〜１０−３を通して受信される各パケットデータＰ１、Ｐ２、…、Ｐｎの付帯情報であるフレームデータ、スライスナンバー、エクストラデータを認識し、これらフレームデータ、スライスナンバー、エクストラデータに基づいて各パケットデータＰ１、Ｐ２、…、Ｐｎを元の並び順に並び替える。  
これにより、４本の光モジュール１０−１〜１０−４等の伝送路に故障Ｑが発生しても、この故障Ｑが発生した伝送路を用いずに残りのデータ伝送が可能な伝送路、例えば３本の光モジュール１０−１〜１０−３を用いてデータ伝送を中断することなく継続することが出来る。しかるに、Ｘ線ＣＴ装置における４本の光モジュール１０−１〜１０−４等の伝送路上の故障Ｑが発生しても、Ｘ線ＣＴ装置の縮退運転が可能になる。この結果、被検体に対する不要な被爆を避けることができ、例えば病院における診察スケジュールに影響を与えることがない。
【００３２】
次に、本発明の第２の実施の形態について図面を参照して説明する。  
図７はＸ線ＣＴ装置に備えられているＸ線検出器２０のチャンネルの構成図を示す。Ｘ線検出器２０は、メインチャンネル２１と、その両端部である束ね部に対応するチャンネル、すなわち各束ねチャンネル２２、２３とを有する。これら束ねチャンネル２２、２３は、それぞれ７２チャンネル（ＣＨ）を有する。
【００３３】
第１のデータ伝送部１１は、縮退モードに切り替わると、Ｘ線ＣＴ装置に備えられたＸ線検出器２０の各束ねチャンネル２２、２３から出力される各投影データを破棄する。そして、第１のデータ伝送部１１は、各束ねチャンネル２２、２３を除くＸ線検出器の中央部のメインチャンネル２１から出力される各投影データをパケット化してデータ伝送する。これにより、縮退モードにおいてデータ伝送する光モジュール１０−１〜１０−３等の伝送路の本数が少なくなっても、各パケットデータＰ１、Ｐ２、…、Ｐｎの伝送速度を遅くすることなく、各パケットデータＰ１、Ｐ２、…、Ｐｎを伝送できる。しかるに、被検体の断層像の１ビュー（Ｖiew）の伝送ボリュームを極力少なくすることができる。
【００３４】
次に、本発明の第３の実施の形態について図面を参照して説明する。  
図８はＸ線ＣＴ装置のＤＡＳ２の構成図を示す。第１のフレキシブル・ロータ１１には、第１と第２のスタック用のメモリ３０、３１が接続されている。  
第１のフレキシブル・ロータ１１は、通常モードから縮退モードに切り替わると、Ｘ線ＣＴ装置により取得された投影データを第１又は第２のスタック用のメモリ３０、３１に一時記憶する。そして、第１のフレキシブル・ロータ１１は、第１又は第２のスタック用のメモリ３０、３１から投影データを読み出し、この投影データをパケット化してデータ伝送する。これにより、データ伝送帯域が足りない場合でも、第１又は第２のスタック用のメモリ３０、３１に一次投影データをスタッスすることにより、各パケットデータＰ１、Ｐ２、…、Ｐｎの伝送速度が速くても当該各パケットデータＰ１、Ｐ２、…、Ｐｎの伝送速度に対応できる。
【００３５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３６】
【図１】本発明に係るデータ伝送装置の第１の実施の形態をＸ線ＣＴ装置に適用した構成図。
【図２】同装置におけるデータ収集システム（ＤＡＳ）及び第１の伝送ユニットの具体的な構成図。
【図３】同装置における第１のフレキシブル・ロータによる投影データをパケット化を示す摸式図。
【図４】同装置における第２のフレキシブル・ロータによるパケットデータの記憶エリアを示す摸式図。
【図５】同装置における第１と第２のデータ伝送部をＤＡＳとコンソールとの間の伝送区間に設けた例を示す図。
【図６】同装置における第１と第２のデータ伝送部をＤＡＳとコンソールとの間の伝送区間に設けた他の例を示す図。
【図７】本発明に係るデータ伝送装置の第２の実施の形態を説明するためのＸ線ＣＴ装置に備えられているＸ線検出器のチャンネルを示す構成図。
【図８】本発明に係るデータ伝送装置の第３の実施の形態におけるＤＡＳを示す構成図。
【図９】Ｘ線ＣＴ装置における従来のデータ伝送を示す系統図。
【図１０】ＤＡＳ内の出力系の構成例を示す図。
【符号の説明】
【００３７】
１：回転部、２：データ収集システム（ＤＡＳ）、３：第１の伝送ユニット、４：固定部、５：第２の伝送ユニット、６：コンソール、７：フィールド・プログラマブル・ゲート・アレイ（ＦＰＧＡ）、９−１〜９−４：ＳＦＦ回路、１０−１〜１０−４：光ファイバー等の各光モジュール、１１：第１のデータ伝送部、１２：第２のデータ伝送部、Ｐ１〜Ｐｎ：パケットデータ、Ｈ：ヘッダ、Ｑ：故障、１４：データメモリ、２０：Ｘ線検出器、２１：メインチャンネル、２２，２３：束ねチャンネル、３０，３１：第１と第２のスタック用のメモリ。
【図１】
2010011979.tif 000003
【図２】
2010011979.tif 000004
【図３】
2010011979.tif 000005
【図４】
2010011979.tif 000006
【図５】
2010011979.tif 000007
【図６】
2010011979.tif 000008
【図７】
2010011979.tif 000009
【図８】
2010011979.tif 000010
【図９】
2010011979.tif 000011
【図１０】
2010011979.tif 000012